(57)【要約】      （修正有）【課題】車体フレームの後部に突設するハンドルの高さに影響を与えずに掘起し搬送装置の前に設ける縦掻込装置と横掻込装置及び掘起し搬送装置の先端を容易に昇降できるようにした歩行型根菜引抜機を提供する。【解決手段】根菜類の茎葉を挟持して引き抜く引抜搬送装置４と根菜類の茎葉を引き起こす引起装置９を設けた歩行型根菜引抜機において、エンジン３ａを搭載し後方に向けてハンドル４９を設け駆動走行輪２ａを装備した後部フレーム２１に対して、引抜搬送装置４と引起装置９を設け前輪３５Ｒで支持した前部フレーム２２を横軸５０で屈折可能に連結すると共に後部フレーム２１と前部フレーム２２を前輪３５Ｒを昇降する支持筒３６Ｒと調整軸３７Ｒで連結し、調整軸３７Ｒの回動で前輪３５Ｒを昇降して前部フレーム２２の後部フレーム２１に対する屈折角度を変更可能にした。【選択図】図１
2019195288.tif 000002
【特許請求の範囲】
【請求項１】
根菜類の茎葉を挟持して引き抜く引抜搬送装置（４）と根菜類の茎葉を引き起こす引起装置（９）を設けた歩行型根菜引抜機において、
エンジン（３ａ）を搭載し後方に向けてハンドル（４９）を設け駆動走行輪（２ａ）を装備した後部フレーム（２１）に対して、前記引抜搬送装置（４）と前記引起装置（９）を設け前輪（３５）で支持した前部フレーム（２２）を横軸（５０）で屈折可能に連結すると共に前記後部フレーム（２１）と前記前部フレーム（２２）を前記前輪（３５）を昇降する支持筒（３６）と調整軸（３７）で連結し、前記調整軸（３７）の回動で前記前輪（３５）を昇降して前記前部フレーム（２２）の前記後部フレーム（２１）に対する屈折角度を変更可能にした歩行型根菜引抜機。
【請求項２】
前記後部フレーム（２１）と前記前部フレーム（２２）を連結する前記横軸（５０）を前記後部フレーム（２１）の前記駆動走行輪（２ａ）の略真上位置に設けたことを特徴とする請求項１の歩行型根菜引抜機。
【請求項３】
前記前部フレーム（２２）を支持する前記前輪（３５）が前記引抜搬送装置（４）の先端近傍で昇降することを特徴とする請求項１に記載の歩行型根菜引抜機。
【請求項４】
前記引抜搬送装置（４）の終端に切断茎葉を受けて前記駆動走行輪（２ａ）の側方へ排出するシュータ（５１）を設けたことを特徴とする請求項１から請求項３のいずれか１項に記載の歩行型根菜引抜機。
【発明の詳細な説明】
【技術分野】
【０００１】
本発明は、圃場に植生する根菜類を引き抜いて茎葉の先端を切除した状態で圃場へ放置する作業を行う歩行型根菜引抜機に関する。
【背景技術】
【０００２】
歩行型根菜引抜機は、下記特許文献１に記載されている。
【０００３】
この歩行型根菜引抜機は、前後輪で支持した車体フレームに搭載した掘起し搬送装置で作物の茎葉部を挟持して機体の走行に伴って持ち上げて根部を圃場から引き抜き、根菜類の肩（へた）高さを揃えて茎葉部切断装置で茎葉の先端を切り落として根部を圃場に落として残す作業を行い、作業者は車体フレームの後部に設けるハンドルを持って操縦を行う。その後、作業者が圃場に残る根菜を拾い集めて収穫する。
【先行技術文献】
【特許文献】
【０００４】
【特許文献１】特許第６１６４４１７号公報
【発明の概要】
【発明が解決しようとする課題】
【０００５】
前記の歩行型根菜引抜機は、掘起し搬送装置の前側に根菜の茎葉部を掻き上げて掘起し搬送装置に挟持させる縦掻込装置と横掻込装置を設けている。この縦掻込装置と横掻込装置と掘起し搬送装置の下端は根菜類の植生状況によって圃場面からの高さを調整する必要があり、前輪を昇降して車体フレームの前後傾きを変えることで高さ調整を行っているが、車体フレームの傾きを変えると車体フレームの後部に突設するハンドル近傍の操縦操作具の高さが上下してハンドル後方を歩く作業者の操縦操作が難しくなる。
【０００６】
本発明は、上記従来の課題に鑑みて、車体フレームの後部に突設するハンドルの高さに影響を与えずに掘起し搬送装置の前に設ける縦掻込装置と横掻込装置及び掘起し搬送装置の先端を容易に昇降できるようにすることを目的とする。
【課題を解決するための手段】
【０００７】
上記従来の歩行型根菜引抜機の課題は、次の技術手段により解決される。
【０００８】
請求項１の発明は、根菜類の茎葉を挟持して引き抜く引抜搬送装置４と根菜類の茎葉を引き起こす引起装置９を設けた歩行型根菜引抜機において、エンジン３ａを搭載し後方に向けてハンドル４９を設け駆動走行輪２ａを装備した後部フレーム２１に対して、引抜搬送装置４と引起装置９を設け前輪３５で支持した前部フレーム２２を横軸５０で屈折可能に連結すると共に後部フレーム２１と前部フレーム２２を前輪３５を昇降する支持筒３６と調整軸３７で連結し、調整軸３７の回動で前輪３５を昇降して前部フレーム２２の後部フレーム２１に対する屈折角度を変更可能にした歩行型根菜引抜機とする。
【０００９】
請求項２の発明は、後部フレーム２１と前部フレーム２２を連結する横軸５０を後部フレーム２１の駆動走行輪２ａの略真上位置に設けたことを特徴とする請求項１の歩行型根菜引抜機とする。
【００１０】
請求項３の発明は、前部フレーム２２を支持する前輪３５が引抜搬送装置４の先端近傍で昇降することを特徴とする請求項１に記載の歩行型根菜引抜機とする。
【００１１】
請求項４の発明は、引抜搬送装置４の終端に切断茎葉を受けて駆動走行輪２ａの側方へ排出する排葉シュータ６を設けたことを特徴とする請求項１から請求項３のいずれか１項に記載の歩行型根菜引抜機とする
【発明の効果】
【００１２】
請求項１の発明で、引抜搬送装置４の先端と引起装置９は前輪３５を昇降することで後部フレーム２１に対する前部フレーム２２の屈折角度が変更されて圃場面からの高さが変更されるが、ハンドル４９を設けた後部フレーム２１の前後方向姿勢が変わることなく、ハンドル４９を持って歩く作業者の操縦感覚が一定で、安定した根菜の引抜作業を行える。
【００１３】
請求項２の発明で、請求項１の効果に加えて、前部フレーム２２の荷重が横軸５０から駆動走行輪２ａに略鉛直方向に加わっているので、前輪３５を昇降しても前輪３５の荷重が変動することなく、安定した走行を行える。
【００１４】
請求項３の発明で、請求項１の効果に加えて、前輪３５の昇降高さが直接引抜搬送装置４の下端の地上高となって圃場面との高さ調整が簡単になる。
【００１５】
請求項４の発明で、請求項１から請求項３のいずれか１項の効果に加えて、引抜搬送装置４の終端において切断茎葉が排葉シュータ６で後部フレーム２１の駆動走行輪２ａの側方の圃場に放出されて、抜かれた根菜に降り掛かることなく、後作業の根菜拾い上げ収穫が容易になる。
【図面の簡単な説明】
【００１６】
【図１】歩行型根菜引抜機の右側面図である。
【図２】歩行型根菜引抜機の平面図である。
【図３】歩行型根菜引抜機の正面図である。
【図４】肩揃え装置の平面図である。
【図５】調整ブラケットの一部拡大平面図である。
【図６】ベルト支持フレームの取付穴拡大平面図である。
【図７】前プーリの側面図である。
【図８】別実施例の前プーリの側面図である。
【図９】ソイラ取付部の拡大側面図である。
【図１０】ソイラ取付部の拡大正面図である。
【図１１】別実施例歩行型根菜引抜機の右側面図である。
【発明を実施するための形態】
【００１７】
以下、本発明の歩行型根菜引抜機の実施形態を図面に示す実施例を参照しながら説明する。なお、実施例の説明においては、機体の前進方向に向かって左右方向をそれぞれ左、右といい、前進方向を前、後進方向を後というが、本発明の構成を限定するものでは無い。
【００１８】
まず、歩行型根菜引抜機の全体構成について説明する。
【００１９】
本発明に係る実施形態として示す大根等根菜類収穫用の歩行型根菜引抜機１は、左右の駆動走行輪２ａ，２ａとゲージ輪（前輪）３５とによって後部フレーム２１と前部フレーム２２を圃場走行可能に構成する。後部フレーム２１と前部フレーム２２は駆動走行輪２ａ，２ａの略真上に設ける横軸５０で前後に屈折可能に連結している。
【００２０】
後部フレーム２１には、エンジン３ａと一体にしたエンジン動力を変速出力する動力伝動装置３を搭載し、前部フレーム２２には作業機器として圃場から大根等の作物の根部を半ばまで引抜く引抜搬送装置４と、この引抜搬送装置４の下方の肩揃え装置４０と茎葉切断装置５と、切断先端茎葉を機体の右側方へ案内排出する排葉シュータ６等を装着し、引抜搬送装置４の前端部には、上下回動支持部７を介して左右の掻込装置８，８およびその前側の左右の引起装置９，９を上下回動可能に支持することにより、圃場面に広がる下葉をまとめて引抜搬送装置４に渡し、肩揃え装置４０で作物の肩を一定高さに維持しながら引き抜いた作物の茎葉部の先端を茎葉切断装置５で切り落として圃場の引抜穴に根部を起立状態に放置する。残された根菜類は、後作業で作業者が起立した根菜類の茎葉部を持って引き上げて収穫するのである。
【００２１】
動力伝動装置３は、側部に前下方に向けて設ける走行伝動ケース３ｂを介して車高調節可能に軸支する左右駆動走行輪２ａ，２ａに伝動し、また、動力伝動装置３から前方に向けて設ける前伝動軸５２から作業駆動ケース５１に伝動する。作業駆動ケース５１を貫通する横軸５０は、後部フレーム２１からの支持フレーム５６で支持して、後部フレーム２１と前部フレーム２２を連結する枢支軸となっている。
【００２２】
動力伝動装置３の上部は原動カバー５３で覆い、後方へループ状に突設するハンドル４９の左右下部にはサイドクラッチレバー５４を設け、上部に作業クラッチレバー５５等の操縦操作具を設けている。原動カバー５３上には排葉シュータ６を設けて切断茎葉を機体の右側方へ排出する。
【００２３】
作業駆動ケース５１からは、引抜搬送装置４と茎葉切断装置５に伝動するとともに、引抜搬送装置４の左側方に中継伝動ケース１０と入力軸１１を設けてその前方の掻込装置８を介して左右の掻込装置８，８および左右の引起装置９，９を一括駆動することにより、伝動系の簡潔化を図っている。
【００２４】
左側駆動走行輪２ａは、トレッド変更ハンドル４２の回動で伸縮する走行伝動軸４３に設ける左側走行伝動ケース３ｂに支持され、畝溝の幅に合わせて左右に移動する。
【００２５】
右ゲージ輪３５Ｒは、前部フレーム２２の右前部に後傾斜して設ける右支持筒３６Ｒに設け、後部フレーム２１後部の右高さ調整ハンドル３８Ｒに連動した右調整軸３７Ｒの回転で右ゲージ輪３５Ｒが上下し、左ゲージ輪３５Ｌは、後部フレーム２１から左側駆動走行輪２ａ側に設けるサイドフレーム５７で支持する前ブラケット５８に後傾斜して設ける左支持筒３６Ｌに設け、左走行伝動ケース３ｂの左高さ調整ハンドル３８Ｌに連動した左調整軸３７Ｌの回転で左ゲージ輪３５Ｌが上下して、前部フレーム２２の前部が横軸５０を支点として昇降する。
【００２６】
サイドフレーム５７には前部フレーム２２の前フレーム６１を受ける持ち上げ台６０を根菜を避けてアーチ状にしたアームで設け、旋回時にハンドル４９を押し下げると前部フレーム２２が持ち上がって左右ゲージ輪３５Ｒ、３５Ｌを浮かせることが出来る。
【００２７】
また、左右ゲージ輪３５Ｒ、３５Ｌは引抜搬送装置４の前端部下方で接地しているために、茎葉部の挟持高さを調整し易い。
【００２８】
なお、左右調整軸３７Ｌ、３７Ｒを伸縮する軸伸縮機構を設けたり、左右高さ調整ハンドル３８Ｌ、３７Ｒの支持ブラケット６０の取付部に前後回動軸を設けたりすると前部フレーム２２の前後傾き調整が滑らかになる。
【００２９】
左右ゲージ輪３５Ｒ、３５Ｌは、左右の駆動走行輪２ａと同様に、トレッド幅を変更可能にして、畝溝を走行するようにする。
【００３０】
なお、左右の駆動走行輪２ａと一個のゲージ輪３５で走行する歩行型根菜引抜機は、ゲージ輪３５を引起装置９の左側の左右駆動走行輪２ａの中間で二条植え根菜の間に設けて前部フレーム２２が畝面の凹凸に追従するようにするも良い。二条植え根菜の間隔が狭いとその外側をゲージ輪３５が走行するようにしても良い。
【００３１】
次に、引抜搬送装置について説明する。
【００３２】
引抜搬送装置４は、左右の対向周回ベルト４ａ，４ａを左右の周回支持フレーム４ｂ，４ｂに軸支する複数のプーリに周回支持し、周回ベルト４ａ，４ａの対向間に茎葉部を挟持して作物を所定高さまで引上げる挟持搬送機構を後ろ上がりに構成し、後端部に切断茎葉を機体の右側方に案内排出する排葉シュータ６を備え、その下方に肩揃え装置４０、回転刃５ｂとタッピング部５ｃからなる茎葉切断装置５を設ける。回転刃５ｂは前後に設ける二個の直刃にしても良い。二個の直刃は搬送方向に対して傾斜して前後平行にしたり左右逆に傾斜したり左右交差させたりして、茎葉部の切残しが無いようにする。回転刃５ｂの上方では引抜搬送装置４の挟持ベルトテンションプーリを位置させて茎葉部の挟持が確実になるようにすることで切れ易くなる。
【００３３】
引抜搬送装置４の終端部における切断茎葉の排出のために、エンジン３ａの前側で動力伝動装置３の上方を排葉空間として確保し、また、茎葉切断装置５における滞留を防止するために、動力伝動装置３の直下にタッピング部５ｃの後端部を臨ませて構成する。
【００３４】
次に、肩揃え装置について説明する。
【００３５】
肩揃え装置４０は、図４に示す如く、引抜搬送装置４の下側で左右にベルト支持フレーム１５，１５を前部フレーム２２に取り付け、このベルト支持フレーム１５，１５のそれぞれ前後上側に挟みベルト１８を巻き掛ける前後プーリ１６，１７を軸支し、挟みベルト１８の周回内側を外側のテンションプーリ２２と内側の二個のガイドプーリ２０ａ，２０ｂで張圧している。
【００３６】
二個のガイドプーリ２０ａ，２０ｂは、内外に調整可能な調整ブラケット１９に軸支して、左右の挟みベルト１８の外周面で通過間隔を形成している。図４、５の如く、調整ブラケット１９は前後二か所を調整ブラケット１９を貫通するボルト２５でベルト支持フレーム１５側の三個の取付穴２３ａ，２３ｂ，２３ｃのどれかに通して固定する。三個の取付穴２３ａ，２３ｂ，２３ｃは並び方向を左右方向に対して前後に傾けているので、ガイドプーリ２０ａ，２０ｂが横に押されてもボルト２５が穴の円弧部に掛って移動しない。また、三個の取付穴２３ａ，２３ｂ，２３ｃは、一部が重なって開けられ、ボルト２５を外すことなく調整ブラケット１９を内外横方向に移動可能である。
【００３７】
また、図７の如く、挟みベルト１８を巻き掛けた前プーリ１６の下プーリ片１６ａの下面に外径が前プーリ１６の外径より大きなゴムやスポンジ材の軟質円盤２７を張り付け、根菜類の肩が直接下プーリ片１６ａに当たって損傷するのを防いでいる。なお、下プーリ片１６ａの外周縁に丸みを持たせたり丸い膨らみを持たせたり、図８の如く前プーリ１６の下プーリ片１６ａの外周縁１６ａｓを先に向かって傾斜させることで根菜類の肩から遠ざけても良い。
【００３８】
なお、肩揃え装置４０の地上高を大根の長さより低くすることで、引き抜いた大根を引抜穴に戻すと、後での拾い集めが楽になる。
【００３９】
次に、上下回動支持部について説明する。
【００４０】
上下回動支持部７は、図１に示すように、引抜搬送装置４の左右の周回支持フレーム４ｂ，４ｂにその搬送域を跨いで連結補強部材７ｃを取付け、左右の掻込装置８，８の背面に取付けた左右の上下回動アーム８ｃ，８ｃの後端を連結補強部材７ｃの左右の基部に軸支する。左右の上下回動アーム８ｃ，８ｃは、引抜搬送装置４の全幅内で上下回動可能に構成すると共に、これら左右の上下回動アーム８ｃ，８ｃを一体に連結する連結部材８ｄを茎葉部の搬送域を跨いで構成する。
【００４１】
また、連結補強部材７ｃの上部でハンドル７ｂの操作その他によって前後動作可能な、またはコンパクトな伸縮式構成の上下調節アクチュエータ７ａを回動可能に支持し、この上下調節アクチュエータ７ａを連結部材８ｄと連結して左右の掻込装置８，８の保持高さを調節可能に、引抜搬送装置４の搬送域の左側方に構成する。
【００４２】
上記構成の上下回動支持部７は、茎葉搬送域を跨ぐ連結部材８ｄによって左右の上下回動アーム８ｃ，８ｃを一体連結することにより、茎葉搬送域を確保しつつ、引抜搬送装置４や掻込装置８，８の剛性確保によって耐久性の向上を図ることができる。また、上下調節アクチュエータ７ａを引抜搬送装置４の搬送域の左側方に配置することにより、茎葉部の搬送域が確保されるので、茎葉部の挟み込みによる上下調節アクチュエータ７ａの破損を防止することができる。
【００４３】
次に、スライド支持部について説明する。
【００４４】
上下調節アクチュエータ７ａは、スライド支持部材７ｄによって前後移動可能に支持するとともに、左右の掻込装置８，８の下降限度を定める移動規制部材７ｅを連結補強部材７ｃに設ける。
【００４５】
このように上下調節アクチュエータ７ａをスライド支持することにより、左右の引起装置９，９または左右の掻込装置８，８が圃場の凸部等によって押上げられると、スライド支持部材７ｄによって前後移動することから、押上げによる負荷が上下調節アクチュエータ７ａに作用することが防止される。
【００４６】
また、スライド支持部材７ｄの移動規制部材７ｅにより、左右の掻込装置８，８の保持高さが下降限度内に規制されることから、圃場の凸部の通過後において、引起装置９，９や掻込装置８，８の過大な下降による破損を防止することができる。
【００４７】
次に、引起装置と掻込装置について説明する。
【００４８】
機体前端部の左右の引起装置９，９は、機体前方に突出して作物の茎葉部を引起す引起部材である複数のラグ９ａ，…を周回支持部９ｂによってそれぞれ周回可能に支持し、また、左右の引起装置９，９の後に続く左右の掻込装置８，８は、機体側方に突出して作物の茎葉部を掻込む掻込部材である複数のラグ８ａ，…を周回支持部８ｂによってそれぞれ周回可能に支持する。
【００４９】
左右の引起装置９，９と左右の掻込装置８，８は、異なる長さのラグを備え、引起装置９には、分草性の向上と掻込装置８に近接して引継ぎのために、短くて腰の強いタイプで前後長を短く形成し、掻込装置８には、作物に触れても傷を付けないように長く腰の弱いラグを用いる。左右の引起装置９，９それぞれの周回支持部９ｂの内面壁は、途切れることなく延ばして左右それぞれ掻込装置８，８と連結する。
【００５０】
左右の引起装置９，９および左右の掻込装置８，８の伝動は、左右それぞれの側について前後伝動ケース１２を設けて前後に伝動連結し、また、左右の引起装置９，９の上部を互いに伝動連結する引起連結ケース１３を設けて左右一体に連結構成して左右の掻込装置８，８と左右の引起装置９，９とを一体に構成する。
【００５１】
また、左右の掻込装置８，８の一方の背面側に、引抜搬送装置４の片側方の中継伝動ケース１０から上下位置可変に伝動する入力軸１１を介して伝動し、この入力軸１１を介して左右の掻込装置８，８および左右の引起装置９，９に一括伝動する。
【００５２】
上記構成の伝動系により、左側の掻込装置８及び引起装置９から機体前端部の引起連結ケース１３を経由して右側の掻込装置８及び引起装置９に至る簡潔な伝動構成によって茎葉部の引起しと掻込みができるので、部品点数の削減による軽量化およびメンテナンス性が向上する。
【００５３】
また、引抜搬送装置４の片側方の中継伝動ケース１０から入力軸１１が機体側方に突出することなく同側配置の掻込装置８の背面側に上下位置可変に伝動することができるので、機体の左右幅のコンパクト化が可能となる。また、右側の掻込装置８の後面部にゲージ輪３５を隠すように配置することにより、機体幅を低減することができる。
【００５４】
左右の引起装置９，９は、上部間を引起連結ケース１３によって互いに伝動連結することにより、左右の引起装置９，９が茎葉部を引起しつつ、その高さの範囲内で茎葉通過域が確保され、掻込装置８が茎葉部を左右から掻込んで引抜搬送装置４に至ることから、確実な引抜きによって効率よく引抜き走行することができる。
【００５５】
中継伝動ケース１０および上下調節アクチュエータ７ａは、排葉シュータ６の排出方向の逆側に配置することにより、排出された茎葉部が風等によって飛び散っても引っ掛かりにくくなるので、茎葉部の除去作業が低減されて作業能率を向上することができる。また、中継伝動ケース１０は、チェーンケースのスプロケット交換によって引起しの速度変更が可能となり、また、外側に動力の出力軸を設けることにより、ＰＴＯとして使用することができ、外装カバーは切欠きを形成することにより、着脱性を確保することができる。
【００５６】
また、左右の掻込装置８，８と左右の引起装置９，９を左右それぞれの側で伝動連結する左右の前後伝動ケース１２，１２は、左右の掻込部材８ａ，８ａの外側端間Ｗ１の範囲内に構成するとともに、左右の掻込装置８，８の機体左右方向の突出量を抑えることによって機体幅を抑えることができるので、収穫中の作物条に隣接する作物との接触を防止することができるので、接触の傷による作物の商品価値の低下を防止することができる。
【００５７】
また、左右の前後伝動ケース１２，１２に内設の伝動軸は、左右の引起装置９，９の伝動軸に差込式に構成することにより、メンテナンス性を確保することができる。
【００５８】
左右の掻込装置８，８は、左右の引起装置９，９の内側端間Ｗ２を避けて左右の掻込部材８ａ，８ａの周回支持部８ｂ，８ｂを配置することにより、作物が掻込装置８，８に接触することがないので、接触の傷による作物の商品価値の低下を防止することができる。
【００５９】
また、左右の掻込部材８ａ，８ａを左右に離間することにより、左右の掻込部材８ａ，８ａによる作物の挟み込みを防止でき、左側の掻込装置８の外側でラグ８ａを包むラグカバーを設けると、挟み込みの傷による作物の商品価値の低下を防止することができる。
【００６０】
なお、掻込装置８と引起装置９をスクリューネジと電動モータで昇降させる構成にすると、操縦操作部の作業者がスイッチを操作することで、掻込装置８と引起装置９の高さ調整が容易になる。
【００６１】
なお、右側引起装置９のさらに右側に畝面或いは畝裾側面に位置してラグ９ａがさらに下方へ届くようにする最右引起装置を設けると茎葉の引き起こしが良好になる。その際に、最右引起装置を写すカメラを設けて作業者が引き起こし状態を監視できるようにすると良い。
【００６２】
左右の掻込装置８，８と左右の引起装置９，９の間に根部感知センサ６２を設け、根部が接触するとハンドル４９側部のサイドクラッチレバー５４近くに設ける左右警報ランプ６３Ｒ、６３Ｌを点灯するようにすると、引抜搬送装置４の挟持位置を根菜に合わせて操縦し易くなり、根部を傷つけることが無い。
【００６３】
図１１は、掻込装置８と引起装置９への動力伝動構成の別実施例で、作業駆動ケース５１から伝動する引抜搬送装置４の駆動軸上方に前駆動ケース６０を設け、前駆動ケース６０からユニバーサルジョイント軸６１で機体前方の掻込装置８に伝動する構成としている。ユニバーサルジョイント軸６１はスライド伸縮可能で引抜搬送装置４の挟持位置から側方へ離して茎葉が絡まないようにする。
【００６４】
次に、ソイラについて説明する。
【００６５】
引抜搬送装置４の先端右側には、前部フレーム２２から圃場面に突き刺して走行に伴って根菜類の根近くを解して引き抜き易くするソイラ３０を設けている。
【００６６】
図９の如く、ソイラ取付ブラケット３１は直刃状のソイラ３０を下から差し込むソイラ取付部３１ａを有し、前部フレーム２２の水平下面２２ａにボルト４１で取り付け、さらに前部フレーム２２の垂直側面２２ｂにボルト４２で取り付けて、ソイラ３０に加わる圃場からの反力を前部フレーム２２の水平下面２２ａと垂直側面２２ｂで受けるようにしている。ソイラ取付部３１ａは上下に複数の取付穴３４ａ，３４ｂ，３４ｃとバネ３３で差し込み付勢するロックピン３２を設け、ソイラ３０の土中差し込み深さを変更出来、ソイラ３０を使用しない場合には後方からソイラ取付部３１ａに差し込んで水平に保持できるようにしている。また、ソイラ取付ブラケット３１の側面は後方に傾斜して、側面視でソイラ３０の一部が見えて収納されていることを確認出来るようにしている。
【符号の説明】
【００６７】
２ａ  駆動走行輪
３ａ  エンジン
４  引抜搬送装置
６  排葉シュータ
９  引起装置
４９  ハンドル
２１  後部フレーム
２２  前部フレーム
３５  前輪
３６  支持筒
３７  調整軸
４９  ハンドル
５０  横軸
【図１】
2019195288.tif 000003
【図２】
2019195288.tif 000004
【図３】
2019195288.tif 000005
【図４】
2019195288.tif 000006
【図５】
2019195288.tif 000007
【図６】
2019195288.tif 000008
【図７】
2019195288.tif 000009
【図８】
2019195288.tif 000010
【図９】
2019195288.tif 000011
【図１０】
2019195288.tif 000012
【図１１】
2019195288.tif 000013